(57)【特許請求の範囲】
【請求項１】
表表紙と裏表紙が連接された表紙紙片と１枚の本文紙片のみを重ね中央部に設けられた綴じ部にて２つ折りして綴じた冊子において、隠蔽可能な通信シートを含む頁が、少なくとも１頁以上、前記本文紙片及び／又は前記表紙紙片に含まれ、前記表表紙及び裏表紙の前記綴じ部と対向する側のそれぞれの端縁部を前記本文紙片より外方向に延出させてそれぞれに封緘部を形成し、該封緘部のいずれか一方が他方よりも外方向に延出されて形成され、該封緘部のみで剥離可能に接着されている冊子状送付物であって、前記表紙紙片と前記本文紙片の天地方向の長さが一致しており、前記本文紙片が左右方向に横長の１枚の紙片を天地方向に平行な２本の折り線を介して第１頁片と第２頁片と第３頁片とに区画されており、前記２本の折り線で巻き三つ折りして第１頁片が第２頁片と第３頁片に挟まれ、第１頁片と第２頁片とを区画する第１の折り線及び第３頁片の端縁が前記封緘部側に、第２頁片と第３頁片とを区画する第２の折り線及び第１頁片の端縁が前記綴じ部側に配置され、前記綴じ部にて、前記２つ折りされた状態の表紙紙片に対して前記巻き三つ折りされた状態の本文紙片が前記第２の折り線にて接着により綴じられており、第１頁片の端縁が第２の折り線よりも封緘部側に後退しており、第３頁片の端縁が第１の折り線よりも綴じ部側に後退していることを特徴とする冊子状送付物。
【請求項２】
前記封緘部の裏表紙の端縁が表表紙の端縁よりも外方向に延出されて形成され、前記裏表紙に対して前記第３頁片が対向するよう配置されており、前記通信シートが前記裏表紙のみに含まれていることを特徴とする請求項１記載の冊子状送付物。
【請求項３】
前記封緘部の裏表紙の端縁が表表紙の端縁よりも外方向に延出されて形成され、前記裏表紙に対して前記第３頁片が対向するよう配置されており、前記通信シートが前記裏表紙及び前記第３頁片のみに含まれていることを特徴とする請求項１記載の冊子状送付物。
【請求項４】
表表紙と裏表紙が連接された表紙紙片と１枚の本文紙片のみを重ね中央部に設けられた綴じ部にて２つ折りして綴じた冊子において、隠蔽可能な通信シートを含む頁が、少なくとも１頁以上、前記本文紙片及び／又は前記表紙紙片に含まれ、前記表表紙及び裏表紙の前記綴じ部と対向する側のそれぞれの端縁部を前記本文紙片より外方向に延出させてそれぞれに封緘部を形成し、該封緘部のいずれか一方が他方よりも外方向に延出されて形成され、該封緘部のみで剥離可能に接着されている冊子状送付物であって、前記表紙紙片と前記本文紙片の天地方向の長さが一致しており、前記本文紙片が左右方向に横長の１枚の紙片を天地方向に平行な２本の折り線を介して第１頁片と第２頁片と第３頁片とに区画されており、前記２本の折り線で巻き三つ折りして第３頁片が第１頁片と第２頁片に挟まれ、第２頁片と第３頁片とを区画する第２の折り線及び第１頁片の端縁が前記封緘部側に、第１頁片と第２頁片とを区画する第１の折り線及び第３頁片の端縁が前記綴じ部側に配置され、前記綴じ部にて、前記２つ折りされた状態の表紙紙片に対して前記巻き三つ折りされた状態の本文紙片が前記第１の折り線にて接着により綴じられており、第３頁片の端縁が第１の折り線よりも封緘部側に後退しており、第１頁片の端縁が第２の折り線よりも綴じ部側に後退していることを特徴とする冊子状送付物。
【請求項５】
前記封緘部の裏表紙の端縁が表表紙の端縁よりも外方向に延出されて形成され、前記裏表紙に対して前記第２頁片が対向するよう配置されており、前記通信シートが前記裏表紙のみに含まれていることを特徴とする請求項４記載の冊子状送付物。
【請求項６】
前記封緘部の裏表紙の端縁が表表紙の端縁よりも外方向に延出されて形成され、前記裏表紙に対して前記第２頁片が対向するよう配置されており、前記通信シートが前記裏表紙のみに含まれており、前記裏表紙に２枚の前記通信シートが左右方向に並列状態で含まれていることを特徴とする請求項４記載の冊子状送付物。
【発明の詳細な説明】
【技術分野】
【０００１】
本発明は、そのままの状態で送付することができ、受け取った顧客が容易に開封できる封緘した冊子状送付物に関し、特に通信シートを綴じ込んだ冊子状送付物に関するものである。
【背景技術】
【０００２】
従来より、商品又は役務の内容を記載した冊子（カタログ、パンフレット等）は、種々の分野で広く利用されている。例えば顧客に商品等を選択させる贈り物として利用することが知られている。また、通販会社等で、過去に注文を受けた顧客等に対して、ダイレクトメールとして冊子を送付することが知られている。このような場合には、顧客の宛名や挨拶文を印字した台紙を、申込葉書とともに冊子に添付して送付することが一般的であり、申込葉書に個人情報を記入し、返送してもらうような場合には、申込葉書として、例えば、同サイズのはがき用紙並びに隠蔽用紙が折畳み可能に接合されており、該はがき用紙の内面に情報記入欄が設定されていると共に、隠蔽用紙の内面に再剥離粘着剤が塗布され、その表面に剥離紙が貼付された隠蔽式はがきであって、記入した情報記入欄を、隠蔽用紙片の表面に貼着された剥離紙片を剥がし、再剥離性粘着剤を露出させた後、隠蔽用紙片を折畳み、擬似接着して郵送できるようにしたものが知られている。
【特許文献１】特開平７−２１４９４７号公報
【０００３】
しかし、前述の冊子を顧客に送付するには、封筒を準備する作業、封筒に冊子や、返信用葉書を封入し封緘する等の煩雑な作業がある。また、返信用葉書も個人情報が記入されるので隠蔽葉書の使用が望まれている。
【発明の開示】
【発明が解決しようとする課題】
【０００４】
そこで本発明は、上記の課題を解決するために、多量の情報と個人情報を保護できる通信シートを同封でき、かつ封筒の準備、封筒への封入、封緘作業の不要な送付物の形態を提供することである。
【課題を解決するための手段】
【０００５】
本発明は、上記課題を達成するために、請求項１記載の本発明は、表表紙と裏表紙が連接された表紙紙片と１枚の本文紙片のみを重ね中央部に設けられた綴じ部にて２つ折りして綴じた冊子において、隠蔽可能な通信シートを含む頁が、少なくとも１頁以上、前記本文紙片及び／又は前記表紙紙片に含まれ、前記表表紙及び裏表紙の前記綴じ部と対向する側のそれぞれの端縁部を前記本文紙片より外方向に延出させてそれぞれに封緘部を形成し、該封緘部のいずれか一方が他方よりも外方向に延出されて形成され、該封緘部のみで剥離可能に接着されている冊子状送付物であって、前記表紙紙片と前記本文紙片の天地方向の長さが一致しており、前記本文紙片が左右方向に横長の１枚の紙片を天地方向に平行な２本の折り線を介して第１頁片と第２頁片と第３頁片とに区画されており、前記２本の折り線で巻き三つ折りして第１頁片が第２頁片と第３頁片に挟まれ、第１頁片と第２頁片とを区画する第１の折り線及び第３頁片の端縁が前記封緘部側に、第２頁片と第３頁片とを区画する第２の折り線及び第１頁片の端縁が前記綴じ部側に配置され、前記綴じ部にて、前記２つ折りされた状態の表紙紙片に対して前記巻き三つ折りされた状態の本文紙片が前記第２の折り線にて接着により綴じられており、第１頁片の端縁が第２の折り線よりも封緘部側に後退しており、第３頁片の端縁が第１の折り線よりも綴じ部側に後退していることを特徴とするものである。
【０００６】
また、請求項２記載の本発明は、請求項１記載の冊子状送付物において、前記封緘部の裏表紙の端縁が表表紙の端縁よりも外方向に延出されて形成され、前記裏表紙に対して前記第３頁片が対向するよう配置されており、前記通信シートが前記裏表紙のみに含まれていることを特徴とするものである。
【０００７】
また、請求項３記載の本発明は、請求項１記載の冊子状送付物において、前記封緘部の裏表紙の端縁が表表紙の端縁よりも外方向に延出されて形成され、前記裏表紙に対して前記第３頁片が対向するよう配置されており、前記通信シートが前記裏表紙及び前記第３頁片のみに含まれていることを特徴とするものである。
【０００８】
また、請求項４記載の本発明は、表表紙と裏表紙が連接された表紙紙片と１枚の本文紙片のみを重ね中央部に設けられた綴じ部にて２つ折りして綴じた冊子において、隠蔽可能な通信シートを含む頁が、少なくとも１頁以上、前記本文紙片及び／又は前記表紙紙片に含まれ、前記表表紙及び裏表紙の前記綴じ部と対向する側のそれぞれの端縁部を前記本文紙片より外方向に延出させてそれぞれに封緘部を形成し、該封緘部のいずれか一方が他方よりも外方向に延出されて形成され、該封緘部のみで剥離可能に接着されている冊子状送付物であって、前記表紙紙片と前記本文紙片の天地方向の長さが一致しており、前記本文紙片が左右方向に横長の１枚の紙片を天地方向に平行な２本の折り線を介して第１頁片と第２頁片と第３頁片とに区画されており、前記２本の折り線で巻き三つ折りして第３頁片が第１頁片と第２頁片に挟まれ、第２頁片と第３頁片とを区画する第２の折り線及び第１頁片の端縁が前記封緘部側に、第１頁片と第２頁片とを区画する第１の折り線及び第３頁片の端縁が前記綴じ部側に配置され、前記綴じ部にて、前記２つ折りされた状態の表紙紙片に対して前記巻き三つ折りされた状態の本文紙片が前記第１の折り線にて接着により綴じられており、第３頁片の端縁が第１の折り線よりも封緘部側に後退しており、第１頁片の端縁が第２の折り線よりも綴じ部側に後退していることを特徴とするものである。
【０００９】
また、請求項５記載の本発明は、請求項４記載の冊子状送付物において、前記封緘部の裏表紙の端縁が表表紙の端縁よりも外方向に延出されて形成され、前記裏表紙に対して前記第２頁片が対向するよう配置されており、前記通信シートが前記裏表紙のみに含まれていることを特徴とするものである。
【００１０】
また、請求項６記載の本発明は、請求項４記載の冊子状送付物において、前記封緘部の裏表紙の端縁が表表紙の端縁よりも外方向に延出されて形成され、前記裏表紙に対して前記第２頁片が対向するよう配置されており、前記通信シートが前記裏表紙のみに含まれており、前記裏表紙に２枚の前記通信シートが左右方向に並列状態で含まれていることを特徴とするものである。
【発明の効果】
【００１２】
本発明は、カタログ等の多量の情報を顧客へ提供でき、申込み用隠蔽葉書や封書等の通信シートも同封でき、冊子状にし、表表紙及び裏表紙の綴じ部と対向する端縁に設けられた封緘部で接着する形態にすることにより、封筒の準備、封筒への封入、封緘作業が不要となり、合理化、納期の短縮化が図れるという効果を奏するものである。また、表表紙の封緘部と裏表紙の封緘部はいずれか一方が他方よりも外方向に延出されて形成されて、剥離可能に接着されているために、冊子状送付物を受け取った顧客は、封緘部の一隅より容易に開封できるという効果がある。
【００１３】
また、隠蔽可能な通信シートを綴じ込むことにより、顧客が記入した個人情報の隠蔽が可能となり、個人情報の保護が図れ、顧客が安心して郵送できるという効果がある。
【００１４】
また、本文紙片が、折り線を介して連接する第１、第２、第３の３枚の頁片からなり、前記折り線で三つ折りして第１頁片が第２頁片と第３頁片に挟まれ、第２頁片の折り線に直交する側の長さが第１頁片及び第３頁片より長くなるように折り畳んで構成されているので、開封後の各頁片を容易に捲ることができる。さらに、第１頁片は左右方向に広げることができ、第１頁片と第２頁片を同時に一目で見れるという効果がある。
【００１５】
また、請求項３の発明は、通信シートが裏表紙と第３頁片に含まれており複数の通信ができ利便性を与えるものである。
【００１６】
また、請求項４の発明は、本文紙片が、折り線を介して連接する第１、第２、第３の３枚の頁片からなり、前記折り線で三つ折りして第３頁片が第１頁片と第２頁片に挟まれ、第２頁片の折り線に直交する側の長さが第１頁片及び第３頁片より長くなるように折り畳んで構成されているので、開封後の各頁片を容易に捲ることができる。さらに、第３頁片は左右方向に広げることができ、第２頁片と第３頁片を同時に一目で見れるという効果がある。
【００１７】
また、請求項６の発明は、裏表紙に２枚の通信シートが含まれおり複数の通信ができる。
【発明を実施するための最良の形態】
【００２０】
以下、図面を参照しながら本発明の数例の実施形態について、説明する。
図１は本発明にかかる冊子状送付物の第一参考形態を示す斜視図、図２は図１におけるＡ−Ａ断面を図解的に示す説明図、図３は本発明にかかる第一参考形態の冊子状送付物を開封し、本文紙片の頁と裏表紙との間で見開き状態にした斜視図、図４は本発明にかかる冊子状送付物の第二参考形態を示す図３におけるＢ−Ｂ相当の断面を図解的に示す説明図、図５は本発明にかかる冊子状送付物の第三実施形態を示し、図１におけるＡ−Ａ相当の断面図、図６は第三実施形態の冊子状送付物を開封し、本文紙片の第３頁片と裏表紙との間で見開き状態にした斜視図、図７は第四実施形態の冊子状送付物を開封し、本文紙片の第３頁片と裏表紙との間で見開き状態にした斜視図、図８は本発明にかかる冊子状送付物の第五実施形態を示し、図１におけるＡ−Ａ相当の断面図、図９は第五実施形態の冊子状送付物を開封し、本文紙片の第２頁片と裏表紙との間で見開き状態にした斜視図、図１０は第六実施形態の冊子状送付物を開封し、本文紙片の第２頁片と裏表紙との間で見開き状態にした斜視図を示す。
【００２１】
まず、図１、図２に示すように本発明の第一参考形態の冊子状送付物１は表表紙２と裏表紙３が連接された表紙紙片４に本文紙片５を重ね中央部に設けられた表紙紙片４の綴じ部６と本文紙片５の綴じ部６にて２つ折りして接着剤７で綴じられた中綴冊子である。以後、冊子状送付物１の各頁の詳細を説明するに際して、冊子の頁を示すために表紙を１頁とし、表紙の裏を２頁とし、順次、頁数をつけ裏表紙を８頁と称することとする。したがって、２つ折りされた本文紙片５は表表紙２と対向する本文紙片５ａから裏表紙３と対向する本文紙片５ｂに亘って、３〜６頁を構成する。本文紙片５の綴じ部６は本文紙片５の中心より表表紙２の端部側に偏って設けられ、本文紙片５ａの綴じ部６から綴じ部６に対向する端縁までの長さが、本文紙片５ｂの該長さより短くなっている。また、表表紙２及び裏表紙３の綴じ部６と対向する側のそれぞれの端縁部を本文紙片５ｂより外方向に延出させて表表紙２に封緘部８、裏表紙３に封緘部９が形成され、封緘部８と封緘部９が接着剤１０で剥離可能に接着されている。接着剤７には、酢酸ビニル系や合成ゴム系等の合成樹脂エマルジョンタイプ、あるいはポバール、デキストリン、にかわ等の再湿タイプを用いることができる。接着剤１０には、例えば、高級脂肪酸系ワックス等を主成分とするエマルジョン系接着剤が好ましく使用できる。また、裏表紙３の封緘部９は表表紙２の封緘部８よりも外方向に延出されて形成されている。このような構成にすることによって、表表紙２の封緘部８の一隅に設けられた開封部１１より、冊子状送付物１を受け取った顧客は、容易に開封することができる。尚、表表紙２の封緘部８を裏表紙３の封緘部９よりも外方向に延出させて形成してもよく、同じ開封効果が得られる。また、表表紙２の封緘部８及び裏表紙３の封緘部９の外方向に延出された寸法を同じにして封緘部８又は封緘部９のいずれか一方の一隅に切欠きを形成して開封部１１を設けることもできる。図１には、図示していないが、冊子状送付物１を郵送する場合には、表表紙２の上面に送り先、宛名欄を設けることもでき、特に図１の形態に限定されるものではない。
【００２２】
次に、図３を用いて、通信シートを含む頁について説明する。図３は表表紙２の封緘部８と裏表紙３の封緘部９を開封部１１より開封し、本文紙片５ｂと裏表紙３との間で見開きにした図であり、本文紙片５ｂに設けられた６頁と裏表紙３に設けられた７頁が見えている状態を示している。６頁及び７頁には、顧客への情報が記載されているとともに、綴じ部６に対向する端部に通信シート１２、１２がミシン目１３を介して連接されている。通信シート１２は葉書本体片１４の下部に個人情報記入欄１５が設けられ、該個人情報記入欄１５の下端に形成された折り線１６を介して該個人情報記入欄１５と略同サイズの隠蔽用紙片１７が連接されている。隠蔽用紙片１７には、通信シート１２の使用方法が記載され、折り線１６を除く周縁に糊代部１８が設けられている。通信シート１２の使用に際し、顧客は、通信シート１２をミシン目１３より切取り、個人情報記入欄１５に必要事項等を記入後、隠蔽用紙片１７に設けられた糊代部１８に糊を塗り、折り線１６で折返して個人情報記入欄１５に重ねて接着すると記入された個人情報が隠蔽され、顧客が安心して送付できるものである。尚、通信シート１２は端部に設けられているために顧客に利便性を与える効果がある。また、通信シート１２の受信者は、隠蔽用紙片１７を開封して個人情報が取得できるものである。通信シート１２は、使用する本文紙片５及び／又は表紙紙片４に使用する紙の坪量により封書又は葉書扱いにできる。例えば、葉書扱いにするには１１０ｋｇ／四六の紙を用いればよく、郵便法の規定に基づき定められる「内国郵便約款」の範囲内で選択すればよい。以上、説明してきた本発明の冊子状送付物１は、表紙紙片４、本文紙片５を通常の技法でオフセット印刷やグラビア印刷等の印刷方式で印刷され、断才、折り、丁合し、自動製本ができ、そのままで送付可能な形態であり、封筒の準備、封筒への封入、封緘作業が不要となり、工程の合理化、納期の短縮化が図れるものである。また、情報量が多くなれば、本文紙片５を増やすことができ、さらに、増やされる本文紙片５の綴じ部６は、本文紙片５の中心に近づくように設けることにより、本文紙片５で形成される各頁の綴じ部６から該綴じ部６と対向する端縁までの長さが長い順に裏表紙３から表表紙２に向かって重ねることができ、各頁を捲りやすいという効果がある。また、各頁の端縁を見出しとして使用することができ、顧客に便利さを与えることもできる。
【００２３】
図４は、本発明の第二参考形態を示し、図３におけるＢ−Ｂに相当の断面を示すものであり、上記の本発明の一参考形態と通信シートの構成が異なるものであり、その他は同じである。図４に示すように通信シート１２は葉書本体片１４の下部に個人情報記入欄１５が設けられ、該個人情報記入欄１５の下端に形成された折り線１６を介して該個人情報記入欄１５と略同サイズの隠蔽用紙片２７が連接されている。隠蔽用紙片２７は上面に再剥離再粘着剤２８を介して剥離紙２９が貼付されている。通信シート１２の使用に際し、顧客は、通信シート１２をミシン目１３より切取り、個人情報記入欄１５に必要事項等を記入後、剥離紙２９を剥離し、再剥離再粘着剤２８を露出させて、折り線１６で折り返して個人情報記入欄１５に貼付すると記入された個人情報が隠蔽され、顧客が安心して送付できるものである。また、通信シート１２の受信者は、再剥離再粘着剤２８が使用されているために、隠蔽用紙片２７を紙破れさせることなく容易に剥離することができ、個人情報が取得できるものである。尚、隠蔽方式は、これ以外に隠蔽用紙片上に、剥離剤層が設けられ、接着剤層を介して、上面に透明な粘着剤層を有する透明性シートと、剥離紙とが順次重ねられてなるタイプ等が種々あるが、いずれのタイプを用いてもよく、これらに限定されるものではない。
【００２４】
図５、図６を用いて、本発明の第三実施形態について説明する。図５は本発明にかかる冊子状送付物の第三実施形態を示し、図１におけるＡ−Ａ相当の断面図である。第三実施形態は、第一参考形態と本文紙片３５の構成が異なるものであり、その他は同じである。図５に示すように本発明の第三実施形態の冊子状送付物３１の本文紙片３５は、折り線３５１、３５２を介して連接する第１頁片３５ａ、第２頁片３５ｂ、第３頁片３５ｃの３枚の頁片からなり、折り線３５１、３５２で三つ折りして第１頁片３５ａが第２頁片３５ｂと第３頁片３５ｃに挟まれ、第２頁片３５ｂの折り線３５１、３５２に直交する側の長さが第１頁片３５ａ及び第３頁片３５ｃの該長さより長くなるように折り畳んで構成され、第２頁片３５ｂと第３頁片３５ｃを折り畳む折り線３５２と表紙紙片４の綴じ部６とが接着剤７で綴じられている。
【００２５】
図６は第三実施形態の冊子状送付物３１を開封し、本文紙片３５の第３頁片３５ｃと裏表紙３との間で見開き状態にした斜視図である。図６に示すように本文紙片３５の第２頁片３５ｂの折り線３５１、３５２に直交する側の長さ（幅方向の長さ）が第１頁片３５ａ及び第３頁片３５ｃの該長さより長くなるように折り畳んで構成されているので、表紙紙片４を開封後、各頁片を容易に捲ることができるものである。さらに、第１頁片３５ａは左右方向に広げることができ、第１頁片３５ａと第２頁片３５ｂを同時に一目で見れるという効果がある。尚、第１頁片３５ａと第３頁片３５ｃの幅方向の長さは、限定されるものでなく、同一でも、異なっていてもよい。
【００２６】
図７は本発明の第四実施形態の冊子状送付物４１を開封し、本文紙片３５の第３頁片３５ｃと裏表紙３との間で見開き状態にした斜視図である。第四実施形態は、第３頁片３５ｃの裏表紙３に対向する頁に折り線３５２に対向する端部に通信シート１２がミシン目１３を介して連接されている。その他は第三実施形態と同じである。
【００２７】
図８、図９を用いて、本発明の第五実施形態について説明する。図８は本発明にかかる冊子状送付物の第五実施形態を示し、図１におけるＡ−Ａ相当の断面図である。第五実施形態は、第三実施形態と本文紙片５５の三つ折りして折り畳む構成と綴じ部の構成が異なり、その他は同じである。図８に示すように本発明の第五実施形態の冊子状送付物５１の本文紙片５５は、折り線５５１、５５２を介して連接する第１頁片５５ａ、第２頁片５５ｂ、第３頁片５５ｃの３枚の頁片からなり、折り線５５１、５５２で三つ折りして第３頁片５５ｃが第１頁片５５ａと第２頁片５５ｂに挟まれ、第２頁片５５ｂの折り線５５１、５５２に直交する側の長さ（幅方向の長さ）が第１頁片５５ａ及び第３頁片５５ｃの該長さより長くなるように折り畳んで構成され、第１頁片５５ａと第２頁片５５ｂを折り畳む折り線５５１と表紙紙片４の綴じ部６とが接着剤７で綴じられている。
【００２８】
図９は第五実施形態の冊子状送付物５１を開封し、本文紙片５５の第２頁片５５ｂと裏表紙３との間で見開き状態にした斜視図である。図９に示すように本文紙片５５の第２頁片５５ｂの折り線５５１、５５２に直交する側の長さ（幅方向の長さ）が第１頁片５５ａ及び第３頁片５５ｃの該長さより長くなるように折り畳んで構成されているので、表紙紙片４を開封後、各頁片を容易に捲ることができるものである。さらに、第３頁片５５ｃは左右方向に広げることができ、第２頁片５５ｂと第３頁片５５ｃを同時に一目で見れるという効果がある。
【００２９】
図１０は本発明の第六実施形態の冊子状送付物６１を開封し、本文紙片５５の第２頁片５５ｂと裏表紙３との間で見開き状態にした斜視図である。第六実施形態は、裏表紙３に封緘部９より、２枚の通信シート１２、１２がミシン目１３、１３を介して連接されている。その他は第五実施形態と同じである。
【図面の簡単な説明】
【００３０】
【図１】本発明にかかる冊子状送付物の第一参考形態を示す斜視図である。
【図２】図１におけるＡ−Ａ断面を図解的に示す説明図である。
【図３】本発明にかかる第一参考形態の冊子状送付物を開封し、本文紙片の頁と裏表紙との間で見開き状態にした斜視図である。
【図４】本発明にかかる冊子状送付物の第二参考形態を示す図３におけるＢ−Ｂ相当の断面を図解的に示す説明図である。
【図５】本発明にかかる冊子状送付物の第三実施形態を示し、図１におけるＡ−Ａ相当の断面図である。
【図６】第三実施形態の冊子状送付物を開封し、本文紙片の第３頁片と裏表紙との間で見開き状態にした斜視図である。
【図７】第四実施形態の冊子状送付物を開封し、本文紙片の第３頁片と裏表紙との間で見開き状態にした斜視図である。
【図８】本発明にかかる冊子状送付物の第五実施形態を示し、図１におけるＡ−Ａ相当の断面図である。
【図９】第五実施形態の冊子状送付物を開封し、本文紙片の第２頁片と裏表紙との間で見開き状態にした斜視図である。
【図１０】第六実施形態の冊子状送付物を開封し、本文紙片の第２頁片と裏表紙との間で見開き状態にした斜視図である。
【符号の説明】
【００３１】
１、３１、４１、５１、６１              冊子状送付物
２                                      表表紙
３                                      裏表紙
４                                      表紙紙片
５、５ａ、５ｂ                          本文紙片
６                                      綴じ部
７                                      接着剤
８、９                                  封緘部
１０                                    接着剤
１１                                    開封部
１２                                    通信シート
１３                                    ミシン目
１４                                    葉書本体片
１５                                    個人情報記入欄
１６                                    折れ線
１７、２７                              隠蔽用紙片
１８                                    糊代部
２８                                    再剥離再粘着剤
２９                                    剥離紙
３５、５５                              本文紙片
３５ａ、５５ａ                          第１頁片
３５ｂ、５５ｂ                          第２頁片
３５ｃ、５５ｃ                          第３頁片
３５１、３５２、５５１、５５２          折り線
【図１】
0005145708.tif 000002
【図２】
0005145708.tif 000003
【図３】
0005145708.tif 000004
【図４】
0005145708.tif 000005
【図５】
0005145708.tif 000006
【図６】
0005145708.tif 000007
【図７】
0005145708.tif 000008
【図８】
0005145708.tif 000009
【図９】
0005145708.tif 000010
【図１０】
0005145708.tif 000011